(57)【要約】【課題】１フレームの画素数がＨＤ−ＳＤＩフォーマットで規定される画素数を越える映像データの圧縮データを伝送するためには、複数本のシリアルデジタルインターフェースが必要とされていた。【解決手段】放送用カメラは、複数チャンネルに含まれる１０ビットの上位８ビットのうち、少なくとも下位２ビットを互いに異なる値とし、１フレームの画素数がＨＤ−ＳＤＩフォーマットで規定される画素数を越えるＳＤＩの複数チャンネルのデータ量に圧縮された圧縮データに含まれる上位６ビットの映像データをＣチャンネル及びＹチャンネルの映像データ領域の上位６ビットに多重し、圧縮データの下位２ビットの映像データをＣチャンネル及びＹチャンネルの映像データ領域の下位２ビットに多重し、Ｃチャンネル及びＹチャンネルを交互に１０ビット毎に多重してスクランブルをかけたシリアルデジタルインターフェースで送信する。【選択図】図５
2013236211.tif 000002
【特許請求の範囲】
【請求項１】
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重するマッピング部と、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信する多重部と、を備える
信号送信装置。
【請求項２】
さらに、前記複数チャンネルのシリアルデジタルインターフェースのうち、奇数番目のシリアルデジタルインターフェースから抽出した所定ビットのデータを８Ｂ／１０Ｂ変換し、偶数番目のシリアルデジタルインターフェースから抽出した所定ビットのデータをスクランブル変換する変換部を備え、
前記多重部は、８Ｂ／１０Ｂ変換したデータと、スクランブル変換したデータを交互に連結して、１０．６９２Ｇｂｐｓシリアルデジタルインターフェースとして出力する
請求項１記載の信号送信装置。
【請求項３】
前記シリアルデジタルインターフェースは、３Ｇ−ＳＤＩ又はＨＤ−ＳＤＩのいずれかである
請求項２記載の信号送信装置。
【請求項４】
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重することと、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信すること、を含む
信号送信方法。
【請求項５】
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元する分離部と、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、前記第１のチャンネル及び第２のチャンネルの映像データ領域の下位Ｎ−ｍビットから前記圧縮データの下位２ビットとして再生する再生部と、を備える
信号受信装置。
【請求項６】
１０．６９２Ｇｂｐｓシリアルデジタルインターフェースから８Ｂ／１０Ｂ変換したデータと、スクランブル変換したデータを交互に分離する分離部と、
分離されたデータのうち、所定ビットのデータを８Ｂ／１０Ｂ変換して奇数番目のシリアルデジタルインターフェースに多重し、所定ビットのデータをデスクランブル変換して偶数番目のシリアルデジタルインターフェースに多重する変換部を備える
請求項５記載の信号受信装置。
【請求項７】
前記シリアルデジタルインターフェースは、３Ｇ−ＳＤＩ又はＨＤ−ＳＤＩのいずれかである
請求項６記載の信号受信装置。
【請求項８】
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元することと、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、前記第１のチャンネル及び第２のチャンネルの映像データ領域の下位Ｎ−ｍビットから前記圧縮データの下位２ビットとして再生することと、を含む
信号受信方法。
【請求項９】
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重するマッピング部と、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信する多重部と、を有する信号送信装置と、
１チャンネルあるいは複数チャンネルシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元し、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから前記圧縮データの上位ｍ−２ビットとして再生し、前記第１のチャンネル及び第２のチャンネルの映像データ領域の下位Ｎ−ｍビットから前記圧縮データの下位２ビットとして再生する再生部と、を有する信号受信装置と、を備える
信号伝送システム。
【発明の詳細な説明】
【技術分野】
【０００１】
本開示は、１フレームの画素数がＨＤ−ＳＤＩフォーマットで規定された画素数、あるいはこれを越える画素数の映像信号をシリアル伝送する場合に適用して好適な信号送信装置、信号送信方法、信号受信装置、信号受信方法及び信号伝送システムに関する。
【背景技術】
【０００２】
従来、１フレームが１９２０サンプル×１０８０ライン／２３．９８Ｐ−６０Ｐの映像信号である現行のＨＤ（High Definition）の映像信号（２ｋ映像信号）を超える、超高精細映像信号（４ｋ、８Ｋ映像信号）が求められ、受像システムや撮像システムの開発が進んでいる。
【０００３】
なお、以下の説明では、ｍサンプル×ｎラインで表される映像信号を、「ｍ×ｎ」と略記する。そして、［３８４０×２１６０／６０Ｐ］と示した場合には、［水平方向の画素数］×［垂直方向のライン数］／［１秒当りのフレーム数］を示す。また、［４：４：４］は、原色信号伝送方式である場合、［赤信号Ｒ：緑信号Ｇ：青信号Ｂ］の比率を示し、色差信号伝送方式である場合、［輝度信号Ｙ：第１色差信号Ｃｂ：第２色差信号Ｃｒ］の比率を示す。また、「２３．９８Ｐ−６０Ｐ」とは、プログレッシブ信号のフレームレートを表す２３．９８Ｐ，２４Ｐ，２５Ｐ，２９．９７Ｐ，３０Ｐ，５０Ｐ，５９．９４Ｐ，６０Ｐの略記である。
【０００４】
ここで特許文献１には、モードＢのＨＤ−ＳＤＩのアクティブ期間にマッピングすることによって、１フレームの画素数がＨＤ−ＳＤＩフォーマットで規定される画素数を越える画像信号を送受信する技術が開示されている。
【０００５】
特許文献１に開示されたモードＢでは、１０．６９２Ｇｂｐｓストリームの映像データ領域と水平補助データスペースのそれぞれにデータが多重される。６チャンネル（ＣＨ１〜ＣＨ６）のＨＤ−ＳＤＩに含まれる４ワードの映像／ＥＡＶ／ＳＡＶデータは、８Ｂ／１０Ｂ変換されて、５ワード（５０ビット）のデータブロックにエンコードされる。そして、１０．６９２Ｇｂｐｓストリームの映像データ領域に対して、ＳＡＶの先頭からチャンネル順に多重される。
【０００６】
一方、４チャンネル（ＣＨ１〜ＣＨ４）のＨＤ−ＳＤＩの水平補助データスペースは、８Ｂ／１０Ｂ変換されて、５０ビットのデータブロックにエンコードされ、１０．６９２Ｇｂｐｓストリームの水平補助データスペースにチャンネル順に多重される。ただし、ＣＨ５，ＣＨ６のＨＤ−ＳＤＩの水平補助データスペースは伝送されない。
【先行技術文献】
【特許文献】
【０００７】
【特許文献１】特開２０１１−１７２１６４号公報
【発明の概要】
【発明が解決しようとする課題】
【０００８】
ところで、モードＢを用いても、６チャンネル（ＣＨ１〜ＣＨ６）のＨＤ−ＳＤＩを１０．６９２Ｇｂｐｓストリームに多重化できるにすぎない。このため、大容量の映像データを圧縮した上で、ＨＤ−ＳＤＩに換算して複数ｃｈ（例えば、７ｃｈ〜８ｃｈ）に多重して伝送する方式、あるいは１本の１０Ｇｂｐｓインターフェースに多重して伝送する方式が提案されていなかった。このため、大容量の映像データは、複数本の１０．６９２Ｇｂｐｓインターフェースに多重して伝送する必要があった。
【０００９】
本開示はこのような状況に鑑みて成されたものであり、１フレームの画素数がＨＤ−ＳＤＩフォーマットで規定される画素数、あるいはこれを越える画素数の映像データが圧縮された圧縮データを伝送することを目的とする。
【課題を解決するための手段】
【００１０】
本開示は、Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルに含まれるＮビットの上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを第１のチャンネル及び第２のチャンネルの映像データ領域の上位ｍ−２ビットに多重し、圧縮データの下位２ビットの映像データを第１のチャンネル及び第２のチャンネルの映像データ領域の下位Ｎ−ｍビットに多重することと、
第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信するものである。
【００１１】
また、本開示は、Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元することと、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、前記第１のチャンネル及び第２のチャンネルの映像データ領域の下位Ｎ−ｍビットから前記圧縮データの下位２ビットとして再生することと、を含むものである。
【００１２】
このようにしたことで、１フレームの画素数がＨＤ−ＳＤＩフォーマットで規定される画素数、あるいはこれを越える画素数の映像データが圧縮された圧縮データをシリアルデジタルインターフェースで伝送することが可能となった。
【発明の効果】
【００１３】
本開示によれば、シリアルデジタルインターフェースのＣチャンネル及びＹチャンネルの映像データ領域における下位から３ビット目と４ビット目を異なる値として、禁止コードを避け、下位２ビット以外の領域に、圧縮データをシリアルデジタルインターフェースに多重している。このため、圧縮データを既存のシリアルデジタルインターフェースに多重して伝送することが可能となる。
【図面の簡単な説明】
【００１４】
【図１】本開示の第１の実施の形態に係るテレビジョン放送局用のカメラ伝送システムの全体構成を示す図である。
【図２】本開示の第１の実施の形態に係る放送用カメラ及びＣＣＵの回路構成を示すブロック図である。
【図３】３８４０×２１６０におけるＵＨＤＴＶ信号規格のサンプル構造の例を示す説明図である。
【図４】フレームレートが２４Ｐである場合における１０．６９２Ｇｂｐｓのシリアルデータの１ライン分のデータ構造例を示す説明図である。
【図５】本開示の第１の実施の形態に係るＨＤ−ＳＤＩのＹチャンネルとＣチャンネルの有効領域あるいはＶブランク領域の各１０ビットに８ビット単位で区切った圧縮データを多重する例を示す説明図である。
【図６】本開示の第２の実施の形態に係る放送用カメラの回路構成のうち、本実施の形態に関連する信号送信装置を示すブロック図である。
【図７】本開示の第２の実施の形態に係るモードＥの多重概念図の例を示す説明図である。
【図８】本開示の第２の実施の形態に係るＳＡＶ／ＥＡＶ／ＬＮ／ＣＲＣを多重する例を示す説明図である。
【図９】本開示の第２の実施の形態に係る１０Ｇ−ＳＤＩにおけるモードＥの具体的なデータ系列の例を示す説明図である。
【図１０】本開示の第２の実施の形態に係るモードＥのライン構造の例を示す説明図である。
【図１１】本開示の第２の実施の形態に係るＣＣＵの回路構成のうち、本実施の形態に関連する部分を示すブロック図である。
【図１２】本開示の第３の実施の形態に係るＳＡＶの最初の２ワードをＫ２８．５に入れ替える例を示す説明図である。
【図１３】本開示の第３の実施の形態に係るＬＮ／ＣＲＣを多重する例を示す説明図である。
【図１４】本開示の第３の実施の形態に係るモードＦの多重概念図の例を示す説明図である。
【図１５】本開示の第３の実施の形態に係るモードＦのライン構造の例を示す説明図である。
【発明を実施するための形態】
【００１５】
以下、本開示を実施するための形態（以下、実施の形態例とする。）について説明する。なお、説明は以下の順序で行い、共通する部分には同一符号を付し、詳細な説明を省略する。
１．第１の実施の形態例（圧縮データを多ｃｈのＨＤ−ＳＤＩ（３Ｇ−ＳＤＩ）に多重する伝送方式の例）
２．第２の実施の形態例（１０Ｇ−ＳＤＩにおけるモードＥを用いた伝送方式の例）
３．第３の実施の形態例（１０Ｇ−ＳＤＩにおけるモードＦを用いた伝送方式の例）
４．変形例
【００１６】
＜１．第１の実施の形態＞
［圧縮データを多ｃｈのＨＤ−ＳＤＩ（３Ｇ−ＳＤＩ）に多重する伝送方式の例］
【００１７】
以下、本開示の第１の実施形態について、図１〜図５を参照して説明する。
第１の実施の形態に係る伝送システムでは、３８４０×２１６０／２３．９８Ｐ−６０Ｐ／４：４：４／１０ビット信号の画素サンプルを間引く方式について説明する。
【００１８】
図１は、本実施の形態を適用したテレビジョン放送局用の信号伝送システム１０の全体構成を示す図である。この信号伝送システム１０は、同一構成としてある複数台の放送用カメラ１及びＣＣＵ（カメラコントロールユニット）２で構成されており、各放送用カメラ１が光ファイバーケーブル３でＣＣＵ２に接続されている。放送用カメラ１は、シリアル・デジタル信号（映像信号）を送信する信号送信方法を適用した信号送信装置として用いられ、ＣＣＵ２は、シリアル・デジタル信号を受信する信号受信方法を適用した信号受信装置として用いられる。そして、放送用カメラ１とＣＣＵ２を組み合わせた信号伝送システム１０は、シリアル・デジタル信号を送受信する信号伝送システムとして用いられる。また、これらの装置で行われる処理はハードウェアが連携して行うだけでなく、プログラムを実行させることによっても実現することができる。
【００１９】
放送用カメラ１は、ＵＨＤＴＶ１の４ｋ×２ｋの超高解像度信号（３８４０×２１６０／２３．９８Ｐ−６０Ｐ／４：４：４／１０ビット信号）を生成し、ＣＣＵ２に送信する。
【００２０】
ＣＣＵ２は、各放送用カメラ１を制御したり、各放送用カメラ１から映像信号を受信したり、各放送用カメラ１のモニタに他の放送用カメラ１で撮影中の映像を表示させるための映像信号（リターンビデオ）を送信したりする。ＣＣＵ２は、各放送用カメラ１から映像信号を受信する信号受信装置として機能する。
【００２１】
［次世代２ｋ、４ｋ、８ｋ映像信号］
ここで、次世代の２ｋ、４ｋ、８ｋ映像信号について説明する。
様々なフレームレートの映像信号を送受信するインターフェースとして、モードＤとして知られる伝送規格がＳＭＰＴＥ４３５−２に追加され、ＳＭＰＴＥ４３５−２−２００９として標準化が完了した。ＳＭＰＴＥ４３５−２には、１０．６９２Ｇｂｐｓのシリアルインターフェースに、ＳＭＰＴＥ２９２で規定された１０ビットのパラレルストリームである複数ｃｈのＨＤ−ＳＤＩによってデータを多重処理することについて記載されている。通常、ＨＤ−ＳＤＩの１水平ライン期間のデータ構造は、ＥＡＶ、水平補助データスペース（ＨＡＮＣデータ、水平ブランキング期間ともいう。）、ＳＡＶ、映像データ領域の順に構成される。ＵＨＤＴＶ規格では、３８４０×２１６０／２３．９８Ｐ−６０Ｐは最大２ｃｈの１０Ｇｂｐｓインターフェースで伝送し、７６８０×４３２０／２３．９８Ｐ−６０Ｐは最大８ｃｈの１０Ｇｂｐｓインターフェースで伝送する方式がＳＭＰＴＥに提案された。この提案は、ＳＭＰＴＥ２０３６−３として規格の策定が完了した。
【００２２】
現行のＨＤで規定される画素数の４倍又は１６倍もの画素数を持つ次世代の放送方式であるＵＨＤＴＶ（Ultra High Definition TV）規格が、国際協会によって標準化が行われている。この国際協会には、ＩＴＵ（International Telecommunication Union）やＳＭＰＴＥ（Society of Motion Picture and Television Engineers）がある。
【００２３】
ＩＴＵやＳＭＰＴＥに提案されている映像規格は、１９２０×１０８０の２倍又は４倍のサンプル数及びライン数を持つ３８４０×２１６０や７６８０×４３２０の映像信号に関する。このうち、ＩＴＵで標準化されている映像規格はＬＳＤＩ（Large screen digital imagery）と呼ばれ、ＳＭＰＴＥに提案しているＵＨＤＴＶと呼ばれる。ＵＨＤＴＶに関しては次表１の映像信号が規定されている。
【００２４】
【表１】
2013236211.tif 000003
【００２５】
また、映画業界におけるディジタルカメラに採用される規格として、次表２，３には、２０４８×１０８０や４０９６×２１６０の信号規格がＳＭＰＴＥ２０４８−１，２として標準化されている。
【００２６】
【表２】
2013236211.tif 000004
【００２７】
【表３】
2013236211.tif 000005
【００２８】
図２は、放送用カメラ１及びＣＣＵ２の回路構成のうち、本実施の形態に関連する信号送信装置及び信号受信装置を示すブロック図である。
始めに、放送用カメラ１内の撮像部及び映像信号処理部（図示略）によって生成された３８４０×２１６０／２３．９８Ｐ−６０Ｐ／４：４：４／１０ビット信号が、マッピング部４に送られる。
【００２９】
３８４０×２１６０／２３．９８Ｐ−６０Ｐ／４：４：４／１０ビット信号は、表１に示したように、ＵＨＤＴＶ１クラスイメージの１フレームに相当する。この信号の１フレーム期間は、１．００１／２４，１／２４，１／２５，１．００１／３０，１／３０，１／５０，１．００１／６０，１／６０秒であり、１フレーム期間内に２１６０本の有効ライン期間が含まれている。このため、１フレームの画素数は、ＨＤ−ＳＤＩフォーマットで規定された画素数を越える映像信号である。
【００３０】
Ｓ２０３６−１で規定されるＵＨＤＴＶ１クラスイメージにおけるアクティブラインのサンプル数は３８４０、ライン数は２１６０であり、Ｇデータ系列，Ｂデータ系列，Ｒデータ系列のアクティブラインには、それぞれＧ，Ｂ，Ｒの映像データが配置される。
【００３１】
マッピング部４は、３８４０×２１６０／２３．９８Ｐ−６０Ｐ／４：４：４／１０ビット信号を、ＨＤ−ＳＤＩフォーマットで規定された８チャンネルの伝送ストリーム（以下、ＨＤ−ＳＤＩと略記する）の映像データ領域にマッピングする。このとき、マッピング部４は、１チャンネルあるいは複数チャンネルに含まれるＮビットの上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを第１のチャンネル及び第２のチャンネルの映像データ領域の上位ｍ−２ビットに多重し、圧縮データの下位２ビットの映像データを第１のチャンネル及び第２のチャンネルの映像データ領域の下位Ｎ−ｍビットに多重する。本実施の形態例では、複数チャンネルに含まれる１０ビットの上位８ビットのうち、少なくとも下位２ビットを互いに異なる値とし、１フレームの画素数がＨＤ−ＳＤＩフォーマットで規定される画素数を越えるＳＤＩの複数チャンネルのデータ量に圧縮された圧縮データに含まれる上位６ビットの映像データをＣチャンネル及びＹチャンネルの映像データ領域の上位６ビットに多重し、圧縮データの下位２ビットの映像データをＣチャンネル及びＹチャンネルの映像データ領域の下位２ビットに多重する。
【００３２】
例えば、８チャンネルのＨＤ−ＳＤＩの各有効ライン期間には、それぞれタイミング基準信号ＥＡＶ（End of Active Video）、ライン番号ＬＮ、誤り検出符号ＣＲＣ、水平補助データスペース（補助データ／未定義ワードデータの区間）が配置される。また、各有効ライン期間には、タイミング基準信号ＳＡＶ（Start of Active Video）、映像データの区間であるアクティブラインが配置される。
【００３３】
多重部５は、第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信する。本実施の形態例では、Ｃチャンネル及びＹチャンネルの映像データ領域に多重したＮビットデータのＣＲＣ、すなわち、８ビット単位の圧縮データが多重された１０ビットデータのＣＲＣを、ＳＭＰＴＥ  ＳＴ  ２９２−１に準拠したＣＣＲＣとＹＣＲＣに格納する。そして、ＣチャンネルとＹチャンネルを交互にＮビット毎に多重してスクランブルをかけて多ｃｈのＨＤ−ＳＤＩ（３Ｇ−ＳＤＩ）として送信する。
【００３４】
［ＵＨＤＴＶ信号規格のサンプル構造の例］
ここで、ＵＨＤＴＶ信号規格のサンプル構造の例について、図３を参照して説明する。
図３は、３８４０×２１６０におけるＵＨＤＴＶ信号規格のサンプル構造の例を示す説明図である。図３Ａ〜図３Ｂの説明に用いるフレームは、３８４０×２１６０で１フレームを構成する。
【００３５】
３８４０×２１６０における信号規格のサンプル構造は、以下の３種類がある。なお、ＳＭＰＴＥ規格において、Ｒ′Ｇ′Ｂ′のように、ダッシュ「′」をつけた信号は、ガンマ補正等が施された信号を示す。
【００３６】
図３Ａは、Ｒ′Ｇ′Ｂ′，Ｙ′Ｃｂ′Ｃｒ′  ４：４：４システムの例である。このシステムでは、全サンプルにＲＧＢ又はＹＣｂＣｒのコンポーネントが含まれる。
図３Ｂは、Ｙ′Ｃｂ′Ｃｒ′  ４：２：２システムの例である。このシステムでは、偶数サンプルにＹＣｂＣｒ、奇数サンプルにＹのコンポーネントが含まれる。
図３Ｃは、Ｙ′Ｃｂ′Ｃｒ′  ４：２：０システムの例である。このシステムでは、偶数サンプルにＹＣｂＣｒ、奇数サンプルにＹ、さらに奇数ラインのＣｂＣｒが間引かれたコンポーネントが含まれる。
【００３７】
［１０．６９２Ｇｂｐｓのシリアルデータの構成例］
次に、１ラインのＨＤ−ＳＤＩフォーマットで規定された１０．６９２Ｇｂｐｓのシリアルデータの構成例について、図４を参照して説明する。
【００３８】
図４は、１０．６９２Ｇｂｐｓのシリアルデータの１ライン分のデータ構造例を示す説明図である。
【００３９】
図４では、ライン番号ＬＮ及び誤り検出符号ＣＲＣを含めたものをＳＡＶ，映像データ領域（アクティブライン）及びＥＡＶとして示し、付加データの領域を含めたものを水平補助データスペースとして示している。
【００４０】
［圧縮データを多ｃｈのＨＤ−ＳＤＩ（３Ｇ−ＳＤＩ）に多重する例］
図５は、ＨＤ−ＳＤＩのＹチャンネルとＣチャンネルの有効領域あるいはＶブランク領域の各１０ビットに８ビット単位で区切った圧縮データを多重する例を示す説明図である。図５Ａは、ＨＤ−ＳＤＩのＹチャンネルの構成例を示し、図５Ｂは、ＨＤ−ＳＤＩのＣチャンネルの構成例を示す。図５中では、圧縮データのビット位置を小文字ｂに０〜７までの数字を付けて表し、ＨＤ−ＳＤＩの有効映像領域におけるビット位置を大文字Ｂに０〜９までの数字を付けて表す。
【００４１】
マッピング部４は、２ｋ画像、４ｋ画像、又は８ｋ画像の映像信号を圧縮して、１．５ＧｂｐｓのＨＤ−ＳＤＩのデータ量に換算して複数ｃｈにまでデータ量を減らした信号から、８ビット単位（ｂ０，ｂ１，ｂ２，ｂ３，ｂ４，ｂ５，ｂ６，ｂ７）で圧縮データを抜き出す。そして、ＨＤ−ＳＤＩの有効領域あるいはＶブランク領域を含む映像データ領域における、１０ビットデータのＢ０，Ｂ１，Ｂ２，Ｂ３，Ｂ４，Ｂ５，Ｂ６，Ｂ７，Ｂ８，Ｂ９に、圧縮データのｂ０−ｂ７を多重する。このとき、圧縮データのｂ７−ｂ２のデータを、ＨＤ−ＳＤＩの上位６ビット（Ｂ９−Ｂ４）に多重し、圧縮データのｂ１，ｂ０のデータを、ＨＤ−ＳＤＩの下位２ビット（Ｂ１，Ｂ０）に多重する。
【００４２】
ここで、Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される。本実施の形態例では、複数チャンネルの１０ビットであるシリアルデジタルインターフェース（３Ｇ−ＳＤＩ又はＨＤ−ＳＤＩのいずれか）のＣチャンネル及びＹチャンネルの映像データ領域における禁止コードは、上位８ビットが全て０あるいは１で規定される。このため、複数チャンネルに含まれる１０ビットの上位８ビット（ｍビット）のうち、少なくとも下位２ビットを互いに異なる値とする。具体的には、圧縮データを多重しないＨＤ−ＳＤＩのＢ３，Ｂ２の２ビットに、Ｂ３＝１、Ｂ２＝０の固定値を埋め込む。なお、Ｂ３＝０、Ｂ２＝１を固定値としてもよい。これにより、ＨＤ−ＳＤＩの有効領域あるいはＶブランク領域に禁止コード０００ｈ−００３ｈ及び３ＦＦｈ−３ＦＣｈが発生することを防ぐ。
【００４３】
このようにして、８ビット単位の圧縮データをＨＤ−ＳＤＩ（３Ｇ−ＳＤＩ）のＣチャンネルとＹチャンネルの有効領域あるいはＶブランク領域に多重した１０ビットデータのＣＲＣを、ＳＭＰＴＥ  ＳＴ２９２−１に準拠した方式で計算し、ＣＣＲＣとＹＣＲＣに格納する。そして、ＣチャンネルとＹチャンネルを交互に１０ビット毎にＨＤ−ＳＤＩに多重してスクランブルをかけて多ｃｈのＨＤ−ＳＤＩ（３Ｇ−ＳＤＩ）として伝送する。
【００４４】
図２の説明に戻ると、ＣＣＵ２が備える分離部６は、１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される第１のチャンネル及び第２のチャンネルの映像データ領域におけるＮビットデータの誤り検出符号を復元する。本実施の形態例では、シリアルデジタルインターフェースから、ＣチャンネルとＹチャンネルを交互にＮビット毎に分離してデスクランブルを掛けて、ＳＭＰＴＥ  ＳＴ  ２９２−１に準拠したＣＣＲＣとＹＣＲＣに格納されるＣチャンネル及びＹチャンネルの映像データ領域におけるＮビットデータのＣＲＣＣを復元する。すなわち、分離部６は、放送用カメラ１から多ｃｈのＨＤ−ＳＤＩ（３Ｇ−ＳＤＩ）を受信すると、多重部５が行った処理とは逆にデスクランブル処理をかける。そして、ＣチャンネルとＹチャンネルを交互に１０ビット毎に多重されたＨＤ−ＳＤＩから、８ビット単位の圧縮データをＨＤ−ＳＤＩ（３Ｇ−ＳＤＩ）のＣチャンネルとＹチャンネルの有効領域あるいはＶブランク領域に多重した１０ビットデータのＣＲＣを抽出する。
【００４５】
次に、ＣＣＵ２が備える再生部７は、１チャンネルあるいは複数チャンネルに含まれるＮビットの上位ｍビットのうち、互いに異なる値とされた下位２ビット以外の上位ｍ−２ビットの映像データを第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、第１のチャンネル及び第２のチャンネルの映像データ領域の下位Ｎ−ｍビットから圧縮データの下位２ビットとして再生する。本実施の形態例に係る再生部７は、１チャンネルあるいは複数チャンネルに含まれる１０ビットの上位８ビットのうち、互いに異なる固定値とされた下位２ビット以外の上位６ビットの映像データをＣチャンネル及びＹチャンネルの映像データ領域の上位６ビットから圧縮データの上位６ビットとして再生し、Ｃチャンネル及びＹチャンネルの映像データ領域の下位２ビットから圧縮データの下位２ビットとして再生する。すなわち、再生部７は、多ｃｈのＨＤ−ＳＤＩの有効領域あるいはＶブランク領域を含む映像データ領域における１０ビットデータから８ビット単位の圧縮データｂ０−ｂ７を抜き出す。すなわち、再生部７は、ＨＤ−ＳＤＩの有効領域あるいはＶブランク領域を含む映像データ領域に多重された１０ビットデータのＢ０−Ｂ９のうち、上位６ビット（Ｂ９−Ｂ４）から抜き出したデータを、圧縮データのｂ７−ｂ２として求める。また、下位２ビット（Ｂ１，Ｂ０）から抜き出したデータを、圧縮データのｂ１，ｂ０として求める。そして、再生部７は、２ｋ画像、４ｋ画像、又は８ｋ画像の映像信号を再生する。
【００４６】
以上説明した第１の実施の形態例に係る信号伝送システム１０によれば、２ｋ（ＨＤ）、４ｋ、８ｋ画素等の大容量の映像信号に圧縮処理を施したデータを、８ビット単位で複数ｃｈのＨＤ−ＳＤＩや３Ｇ−ＳＤＩの有効画素領域に多重して伝送する。
【００４７】
ここで、ＭＰＥＧ等の方式で圧縮された圧縮データを、８ビット単位（ｂ０−ｂ７）で区切ってＨＤ−ＳＤＩや３Ｇ−ＳＤＩの有効領域あるいはＶブランク領域の下位から順次Ｂ０−Ｂ９で表現される１０ビットデータに多重する。ここで、禁止コードを防ぐためにＢ３＝１、Ｂ２＝０固定（Ｂ３＝０、Ｂ２＝１を固定値としてもよい）とすることで複数ｃｈのＨＤ−ＳＤＩや３Ｇ−ＳＤＩに多重して伝送することができる。
【００４８】
なお、従来のＳＭＰＴＥ  ＳＴ３４８に規定される方式では、圧縮データ等はＨＤ−ＳＤＩの１０ビットデータＢ０，Ｂ１，Ｂ２，Ｂ３，Ｂ４，Ｂ５，Ｂ６，Ｂ７，Ｂ８，Ｂ９のＢ７−Ｂ０に多重される。そして、禁止コードを回避するためＢ８はＢ７−Ｂ０の偶数パリティ、Ｂ９はＢ８の反転と規定されている。この方法では上位ビットＢ９，Ｂ８が付け直されるため、通常のＨＤ信号源からのカラーバー等の映像信号を使って、画で見て圧縮データ伝送系の確認を行う事ができない。
【００４９】
しかし、本実施の形態例に係る放送用カメラ１は、禁止コードを回避するために、Ｂ３＝１，Ｂ２＝０としてＣＲＣを付け直して伝送する。マッピング部４で行われる伝送方式は、従来の方式と異なり、上位のビットではなく可能な限り下位のビットを使って禁止コードを回避する。このため、カラーバー等の映像信号は波形モニタ等でほぼ元のカラーバーとして映像として観測可能であり、伝送系が正常かどうかを目で見て確認できる。また、ＣＲＣを付け直して伝送するので、波形モニタのＣＲＣ観測機能を用いて伝送系のエラーを観測できる。以上の様に、ＨＤ信号源からの画像を用いて目で見て、あるいはＣＲＣ機能を使って伝送システムの検証を可能にしたことで、開発効率の向上を図ることができる。
【００５０】
＜２．第２の実施の形態＞
［１０Ｇ−ＳＤＩにおけるモードＥを用いた伝送方式の例］
【００５１】
次に、本開示の第２の実施の形態例に係る信号伝送システム１０について、図６〜図１１を参照して説明を行う。本実施の形態例では、伝送方式としてモードＥを採用しており、以下では８ｃｈのＨＤ−ＳＤＩに多重された圧縮データを多重する伝送方式であるモードＥを説明する。
【００５２】
図６は、放送用カメラ１の回路構成のうち、本実施の形態に関連する信号送信装置を示すブロック図である。
【００５３】
放送用カメラ１内の撮像部及び映像信号処理部（図示略）によって生成された３８４０×２１６０／２３．９８Ｐ−６０Ｐ／４：４：４／１０ビット信号が、マッピング部１１に送られる。
【００５４】
本実施の形態例では、２ｋ、４ｋや８ｋ画素の映像信号を圧縮した圧縮データを伝送するために、後述するモードＥを用いる。このモードＥを用いることで、圧縮データが多重された８ｃｈのＨＤ−ＳＤＩを、１０．６９２Ｇｂｐｓシリアルデジタルインターフェース（以下、「１０Ｇ−ＳＤＩ」とも略記する）に多重して伝送することが可能である。
【００５５】
マッピング部１１は、上述した第１の実施の形態例に係るマッピング部４と同様に、３８４０×２１６０／２３．９８Ｐ−６０Ｐ／４：４：４／１０ビット信号を、８チャンネルのＨＤ−ＳＤＩの映像データ領域にマッピングする。この処理の詳細については省略する。
【００５６】
マッピング部１１によってマッピングされたＣＨ１〜ＣＨ８のＨＤ−ＳＤＩ信号は、Ｓ／Ｐ・スクランブル・８Ｂ／１０Ｂ部１２に送られる。そして、８ビット／１０ビットエンコーディングされた２０ビット幅のパラレルデータは、ＰＬＬ１３からの３７．１２５ＭＨｚのクロックによって不図示のＦＩＦＯメモリに書き込まれる。その後、ＰＬＬ１３からの８３．５３１２ＭＨｚのクロックによって２０ビット幅のままＦＩＦＯメモリから読み出されて、変換部の一例として用いられるＳ／Ｐ・スクランブル・８Ｂ／１０Ｂ部１２に送られる。
【００５７】
本実施の形態例では、圧縮データを複数ｃｈ（本実施の形態例では８ｃｈ）のＨＤ−ＳＤＩの有効領域及びＶブランク領域に多重して、あるいは圧縮データが多重された２ｃｈ単位、かつワード単位のＨＤ−ＳＤＩで作成された４ｃｈの３Ｇ−ＳＤＩのデータを１０Ｇ−ＳＤＩの入出力とする。このため、本実施の形態例では、８ｃｈのＨＤ−ＳＤＩを１０Ｇ−ＳＤＩの入出力としている。
【００５８】
図７は、モードＥの多重概念図の例を示す説明図である。
３Ｇ−ＳＤＩ  レベルＢの場合には、ＨＤ−ＳＤＩの第１ｃｈ、第２ｃｈがそれぞれ３Ｇ−ＳＤＩの第１ｃｈのデータストリーム１，２に相当し、ＨＤ−ＳＤＩの第３ｃｈ、第４ｃｈがそれぞれ３Ｇ−ＳＤＩの第２ｃｈのデータストリーム１，２に相当する。ＨＤ−ＳＤＩの第５ｃｈ、第６ｃｈがそれぞれ３Ｇ−ＳＤＩの第３ｃｈのデータストリーム１，２に相当し、ＨＤ−ＳＤＩの第７ｃｈ、第８ｃｈがそれぞれ３Ｇ−ＳＤＩの第４ｃｈのデータストリーム１，２に相当する。
【００５９】
Ｓ／Ｐ・スクランブル・８Ｂ／１０Ｂ部１２は、複数チャンネルのシリアルデジタルインターフェースのうち、奇数番目のシリアルデジタルインターフェースから抽出した所定ビットのデータを８Ｂ／１０Ｂ変換し、偶数番目のシリアルデジタルインターフェースから抽出した所定ビットのデータをスクランブル変換する変換部として用いられる。本実施の形態例のＳ／Ｐ・スクランブル・８Ｂ／１０Ｂ部１２は、モードＥにおいて、ＨＤ−ＳＤＩの第１ｃｈ，３ｃｈ，５ｃｈ，７ｃｈについては、ＳＡＶの最初のワードから開始して８ビットずつ抜き出して順次１６ビット単位（８ビット×２サンプル単位）の圧縮データを８Ｂ／１０Ｂ変換して２０ビットのデータブロックとする。一方、ＨＤ−ＳＤＩの第２ｃｈ，４ｃｈ，６ｃｈ，８ｃｈから、ＳＡＶの最初のワードから開始して８ビットずつ抜き出して順次１６ビット単位（８ビット×２サンプル単位）の圧縮データをスクランブルして１６ビットのデータブロックとする。
【００６０】
そして、多重部１４は、８Ｂ／１０Ｂ変換したデータと、スクランブル変換したデータを交互に連結して、１０Ｇ−ＳＤＩとして出力する。すなわち、ＨＤ−ＳＤＩの第１ｃｈ〜第８ｃｈの奇数ｃｈから１６ビット単位で抜き出し８Ｂ／１０Ｂ変換して得られた２０ビットデータブロックと、偶数ｃｈから１６ビット単位で抜き出しスクランブルして得られた１６ビットデータブロックを交互にＣＨ１，ＣＨ２，ＣＨ３，ＣＨ４，ＣＨ５，ＣＨ６，ＣＨ７，ＣＨ８，ＣＨ１，ＣＨ２…の順で多重する。このように、ＣＨ１〜ＣＨ８のパラレル信号をシリアル化することで１０．６９２Ｇｂｐｓのシリアル信号として信号出力する。
【００６１】
ここで、ＨＤ−ＳＤＩの第１ｃｈ〜第８ｃｈを、１０．６９２Ｇｂｐｓのシリアル信号に変換する際には、次式（１）を満たす。
７４．２５［ＭＨｚ］×１６［ビット］×４［ｃｈ］×１０／８＋７４．２５［ＭＨｚ］×１６［ビット］×４［ｃｈ］＝１０．６９２［Ｇｂｐｓ］…（１）
【００６２】
図８は、ＳＡＶ／ＥＡＶ／ＬＮ／ＣＲＣを多重する例を示す説明図である。
上述したように、ＨＤ−ＳＤＩは、ＳＡＶ／ＥＡＶ／ＬＮ／ＣＲＣを含んでおり、Ｃチャンネル、Ｙチャンネルのデータが交互に多重されている。
【００６３】
多重部１４は、ＨＤ−ＳＤＩに含まれるＳＡＶ及びＥＡＶの３ＦＦｈ，０００ｈ，０００ｈ，ＸＹＺは、下位２ビットがリザーブ＝０であるので１ワードが１０ビットであるデータのうちの上位８ビットを抜き出す。また、ＥＡＶの後のＬＮ及びＣＲＣにおいては、ＣＬＮとＹＣＬは同じものであるのでＹＬＮ信号は捨てる。そして、多重部１４は、ＣＬＮ，ＣＣＲ，ＹＣＲを並び替えて８ビットデータとして多重することにより１０．６９２Ｇｂｐｓのシリアルデータを作成する。
【００６４】
ここで、多重部１４は、以下の（１）〜（５）の順でＨＤ−ＳＤＩデータを並び替えて１０．６９２Ｇｂｐｓのシリアルデータに多重している。
（１）ＬＮでは、ＣＬＮ０の下位８ビットであるＣＬＮ０：０−７（第０ビットから第７ビットを表す。以下、同様に表記する。）に続いて、ＣＬＮ０：８−９とＹＬＮ０：２−７を多重する。なお、ＣＬＮとＹＬＮには同じ内容のデータが含まれており、ＹＬＮ０：２−７の内容は、ＣＬＮ０：２−７から判明するため、ＹＬＮ０：２−７には、ａｌｌ１のようなデータが埋め込まれていてもよい。
（２）ＣＬＮ１：０−７に続いて、ＣＬＮ１：８−９とＹＣＲ０：０−５を多重する。
（３）ＣＲＣでは、ＬＮに続いてＣＣＲ０：０−７を多重する。
（４）続いてＣＣＲ０：８−９とＹＣＲ０：６−８とＹＣＲ１：０−２を多重する。
（５）続いてＣＣＲ１：０−７、ＣＣＲ１：８−９とＹＣＲ１：３−８を多重する。
【００６５】
なお、ＣＲＣのＢ９はＢ８の反転ビットであるので削除し、１０．６９２Ｇｂｐｓのシリアルデータに多重しない。また、ＣＣＲＣとＹＣＲＣは、圧縮データを多重した後に計算されたデータである。
【００６６】
図９は、１０Ｇ−ＳＤＩにおけるモードＥの具体的なデータ系列の例を示す説明図である。
Ｓ／Ｐ・スクランブル・８Ｂ／１０Ｂ部１２が行う８Ｂ／１０Ｂ変換時に、ＳＡＶの最初の２ワード（１６ビット）は２バイトのＫ２８．５に入れ替え、８Ｂ／１０Ｂ変換符号のワード同期信号として使用する。
【００６７】
そして、ｃｈ１，３，５，７のＹ／Ｃ−ｃｈにおける各８ビットは８Ｂ／１０Ｂ変換し、ｃｈ２，４，６，８のＹ／Ｃ−ｃｈのける各８ビットはフレーム同期型（あるタイミングでスクランブルを行う方式）のスクランブルをかけることで、上式（１）を満たす。
【００６８】
この他にも、オーディオデータ信号のＣＳ（チェックサム）のＢ８は、例えばＵＤＷ１のリザーブ＝０であるＢ７に移動させ、Ｂ７を使うようにする。また、オーディオコントロール信号のＡＦ（オーディオフレーム）、ＤＥＬ１−２，３−４、ＣＳのＢ８は、例えばＵＤＷ９，１０のリザーブワードのＢ０−Ｂ７に移動させることで、オーディオデータ信号、オーディオコントロール信号に対しても同じ下位８ビットを抜き出すという信号処理を適用できる。この他のＡＮＣデータに関しても、Ｂ８，Ｂ９を使っている場合には同じＡＮＣデータ中のＢ０−Ｂ７のリザーブビットに移動させることで、ＨＤ−ＳＤＩのＨブランク領域に関しては、下位８ビットを抜き出せばよい。
【００６９】
図１０は、モードＥのライン構造の例を示す説明図である。
多重部１４は、８Ｂ／１０Ｂ変換された２０ビットのデータと、スクランブル変換された１６ビットのデータを１０Ｇ−ＳＤＩに多重する。このとき、ＣＨ１〜ＣＨ８のベーシックストリーム（ＨＤ−ＳＤＩ）から取り出した水平補助データスペースは、ＣＨ１，ＣＨ２，…，ＣＨ８，ＣＨ１の順に多重される。同様に、ＣＨ１〜ＣＨ８のベーシックストリームから取り出した映像データは、ＣＨ１，ＣＨ２，…，ＣＨ８，ＣＨ１の順に多重される。この多重に際して、上述したように奇数ＣＨは、８Ｂ／１０Ｂ変換された２０ビットのデータであり、偶数チャンネルはスクランブルされた１６ビットのデータである。
【００７０】
次表４には、１０．６９２Ｇｂｐｓインターフェースのフレームレート毎の１ラインのデータ数、映像データ領域のデータ数、水平補助データスペース（ＨＡＮＣ）領域及びＳＡＶ／ＥＡＶ／ＬＮ／ＣＲＣのデータ数、付加データのデータ数を示す。
【００７１】
【表４】
2013236211.tif 000006
【００７２】
再び、図６の説明に戻る。
多重部１４が出力する信号のビット数は、ＳＡＶ、映像データ領域のデータ数、ＥＡＶ／ＬＮ／ＣＲＣＣ，Ｈブランク期間を含めて以下の計算によって求められる。
（１）２０＋１６＋２０＋１６＋２０＋１６＋２０＋１６＝１４４ビット
多重部１４によって多重された３６×４（＝１４４）ビット幅のパラレルデータは、データ長変換部１５に送られる。データ長変換部１５は、シフトレジスタを用いて構成される。この１４４ビット幅のパラレルデータを１２８ビット幅に変換する。
【００７３】
データ長変換部１５によって１２８ビット幅に変換されたパラレルデータは、ＦＩＦＯメモリ１６に送られて、ＰＬＬ１３からの８３．５３１２ＭＨｚのクロックによってＦＩＦＯメモリ１６に書き込まれる。
【００７４】
ＦＩＦＯメモリ１６に書き込まれた１２８ビット幅のパラレルデータは、ＰＬＬ１３からの１６７．０６２５ＭＨｚのクロックにより、６４ビット幅のパラレルデータとしてＦＩＦＯメモリ１６から読み出される。その後、読出された６４ビット幅のパラレルデータは、多チャンネルデータ形成部１７に送られる。
【００７５】
多チャンネルデータ形成部１７は、例えばＸＳＢＩ（Ten gigabit Sixteen Bit Interface：１０ギガビットイーサネット（登録商標）のシステムで使用される１６ビットインタフェース）である。そして、多チャンネルデータ形成部１７は、ＰＬＬ１３からの６６８．２５ＭＨｚのクロックを用いて、ＦＩＦＯメモリ１６からの６４ビット幅のパラレルデータから１６チャンネル分のシリアルデータを形成する。このシリアルデータは、各々がビットレート６６８．２５Ｍｂｐｓである。多チャンネルデータ形成部１７によって形成された１６チャンネルのシリアルデータは、多重・Ｐ／Ｓ変換部１８に送られる。
【００７６】
多重・Ｐ／Ｓ変換部１８は、多チャンネルデータ形成部１７からの１６チャンネルのシリアルデータを多重し、その多重したパラレルデータをパラレル／シリアル変換する。これにより、６６８．２５Ｍｂｐｓ×１６＝１０．６９２Ｇｂｐｓのシリアルデータを生成する。
【００７７】
多重・Ｐ／Ｓ変換部１８によって生成された１０．６９２Ｇｂｐｓのシリアルデータは、光電変換部１９に送られる。光電変換部１９は、１０．６９２ＧｂｐｓのシリアルデータをＣＣＵ２に出力する出力部として機能する。光電変換部１９によって光信号に変換された１０．６９２Ｇｂｐｓのシリアルデータは、放送用カメラ１から光ファイバーケーブル３経由でＣＣＵ２に伝送される。
【００７８】
［ＣＣＵの内部構成及び動作例］
次に、ＣＣＵ２の内部構成例を説明する。
図１１は、ＣＣＵ２の回路構成のうち、本実施の形態に関連する部分を示すブロック図である。ＣＣＵ２には、このような回路が、各放送用カメラ１に一対一に対応して複数組設けられている。
【００７９】
放送用カメラ１から光ファイバーケーブル３を経由して伝送された１０．６９２Ｇｂｐｓのシリアルデータは、光電変換部３１によって電気信号に変換された後、Ｓ／Ｐ変換・多チャンネルデータ形成部３２に送られる。Ｓ／Ｐ変換・多チャンネルデータ形成部３２は、例えばＸＳＢＩである。そして、Ｓ／Ｐ変換・多チャンネルデータ形成部３２は、１０．６９２Ｇｂｐｓのシリアルデータを受信する。
【００８０】
Ｓ／Ｐ変換・多チャンネルデータ形成部３２は、１０．６９２Ｇｂｐｓのシリアルデータをシリアル／パラレル変換する。そして、シリアル／パラレル変換したパラレルデータから、各々がビットレート６６８．２５Ｍｂｐｓを有する１６ｃｈ分のシリアルデータを形成するとともに、６６８．２５ＭＨｚのクロックを抽出する。
【００８１】
Ｓ／Ｐ変換・多チャンネルデータ形成部３２によって形成された１６ｃｈのパラレルデータは、多重部３３に送られる。また、Ｓ／Ｐ変換・多チャンネルデータ形成部３２によって抽出された６６８．２５ＭＨｚのクロックは、ＰＬＬ３４に送られる。
【００８２】
多重部３３は、Ｓ／Ｐ変換・多チャンネルデータ形成部３２から受け取る１６ｃｈのシリアルデータを多重して、６４ビット幅のパラレルデータをＦＩＦＯメモリ３５に送る。
【００８３】
ＰＬＬ３４は、Ｓ／Ｐ変換・多チャンネルデータ形成部３２から受け取る６６８．２５ＭＨｚのクロックを４分の１に分周した１６７．０６２５ＭＨｚのクロックをＦＩＦＯメモリ３５に書込みクロックとして送る。
【００８４】
またＰＬＬ３４は、Ｓ／Ｐ変換・多チャンネルデータ形成部３２から受け取る６６８．２５ＭＨｚのクロックを８分の１に分周した８３．５３１２ＭＨｚのクロックを、ＦＩＦＯメモリ３５に読出しクロックとして送る。さらに、後述するデスクランブル・８Ｂ／１０Ｂ・Ｐ／Ｓ部３８内のＦＩＦＯメモリに、８３．５３１２ＭＨｚのクロックを書込みクロックとして送る。
【００８５】
またＰＬＬ３４は、Ｓ／Ｐ変換・多チャンネルデータ形成部３２から受け取る６６８．２５ＭＨｚのクロックを１８分の１に分周した３７．１２５ＭＨｚのクロックを、デスクランブル・８Ｂ／１０Ｂ・Ｐ／Ｓ部３８内のＦＩＦＯメモリに読出しクロックとして送る。また、ＰＬＬ３４は、デスクランブル・８Ｂ／１０Ｂ・Ｐ／Ｓ部３８内のＦＩＦＯメモリに３７．１２５ＭＨｚのクロックを書込みクロックとして送る。
【００８６】
またＰＬＬ３４は、Ｓ／Ｐ変換・多チャンネルデータ形成部３２から受け取る６６８．２５ＭＨｚのクロックを９分の１に分周した７４．２５ＭＨｚのクロックを、デスクランブル・８Ｂ／１０Ｂ・Ｐ／Ｓ部３８内のＦＩＦＯメモリに読出しクロックとして送る。
【００８７】
ＦＩＦＯメモリ３５では、多重部３３から受け取る６４ビット幅のパラレルデータが、ＰＬＬ３４から受け取る１６７．０６２５ＭＨｚのクロックによって書き込まれる。ＦＩＦＯメモリ３５に書き込まれたパラレルデータは、ＰＬＬ３４から受け取る８３．５３１２ＭＨｚのクロックによって１２８ビット幅のパラレルデータとして読み出されて、データ長変換部３６に送られる。
【００８８】
データ長変換部３６は、シフトレジスタを用いて構成されており、１２８ビット幅のパラレルデータを、３６×４（＝１４４）ビット幅に変換する。そして、データ長変換部３６は、タイミング基準信号ＳＡＶまたはＥＡＶに挿入されているＫ２８．５を検出する。これにより各ライン期間を判別して、タイミング基準信号ＳＡＶ，アクティブライン，タイミング基準信号ＥＡＶ，ライン番号ＬＮ及び誤り検出符号ＣＲＣのデータと、水平補助データスペースのデータが１４４ビット幅に変換される。データ長変換部３６によってデータ長を変換された１４４ビット幅のパラレルデータは、分離部３７に送られる。
【００８９】
分離部３７は、１０Ｇ−ＳＤＩから８Ｂ／１０Ｂ変換したデータと、スクランブル変換したデータを交互に分離する。すなわち、分離部３７は、データ長変換部３６から受け取る１４４ビット幅のパラレルデータを、放送用カメラ１内の多重部１４によって多重される前の２０ビットずつのＣＨ１，３，５，７と、１６ビットずつのＣＨ２，４，６，８のデータに分離する。このパラレルデータには、タイミング基準信号ＳＡＶ，アクティブライン，タイミング基準信号ＥＡＶ，ライン番号ＬＮ及び誤り検出符号ＣＲＣのデータと、８Ｂ／１０ＢエンコーディングされたＣＨ１〜８の水平補助データスペースのデータが含まれる。そして、各ＣＨ１〜ＣＨ８の２０ビット幅及び１６ビット幅のパラレルデータを、デスクランブル・８Ｂ／１０Ｂ・Ｐ／Ｓ部３８に送る。
【００９０】
デスクランブル・８Ｂ／１０Ｂ・Ｐ／Ｓ部３８は、分離されたデータのうち、所定ビットのデータを８Ｂ／１０Ｂ変換して奇数番目のシリアルデジタルインターフェースに多重し、所定ビットのデータをデスクランブル変換して偶数番目のシリアルデジタルインターフェースに多重する変換部として用いられる。すなわち、デスクランブル・８Ｂ／１０Ｂ・Ｐ／Ｓ部３８は、入力した１６ビット幅のパラレルデータにデスクランブルを掛け、１６ビット幅のパラレルデータを８Ｂ／１０Ｂにデコードして、シリアルデータに変換して出力する。
【００９１】
再生部３９は、デスクランブル・８Ｂ／１０Ｂ・Ｐ／Ｓ部３８から送られたＣＨ１〜ＣＨ８のＨＤ−ＳＤＩ信号に、ＳＭＰＴＥ  ４３５に従って放送用カメラ１内のマッピング部１１の処理と逆の処理を施す。この処理により、再生部３９は、３８４０×２１６０／２３．９８Ｐ−６０Ｐ／４：４：４／１０ビット信号を再生する。再生部３９によって再生された３８４０×２１６０／２３．９８Ｐ−６０Ｐ／４：４：４／１０ビットの圧縮信号は、ＣＣＵ２から出力されて、例えばＶＴＲ等（図示略）に送られる。
【００９２】
ＣＣＵ２は、放送用カメラ１によって生成された１０．６９２Ｇｂｐｓのシリアルデータを受信する側の信号処理を行う。このＣＣＵ２は、１０．６９２Ｇｂｐｓのシリアルデータからパラレルデータを生成し、それぞれ２０ビット幅と１６ビット幅のデータに分離する。分離されたデータについては、デスクランブルを掛けて元のデータを再生することができる。
【００９３】
上述した第２の実施の形態例に係る信号伝送システム１０によれば、２ｋ，４ｋや８ｋ等の大容量の映像信号を圧縮したデータを、８ビット単位で複数ｃｈのＨＤ−ＳＤＩや３Ｇ−ＳＤＩの有効領域やＶブランク領域にマッピングして伝送することが可能となる。また、圧縮データを多重したＣチャンネル、Ｙチャンネルに、ＳＭＰＴＥ  ＳＴ２９２−１に準拠してＣＲＣを付け、Ｃ，Ｙ，Ｃ，Ｙ…の順に１０ビット単位で多重して、スクランブルをかける。そして、これらの複数ｃｈのＨＤ−ＳＤＩや３Ｇ−ＳＤＩから８ビット単位で圧縮データを抜き出して、８Ｂ／１０Ｂ符号とスクランブル処理を施したデータを交互に多重することにより、１０Ｇ−ＳＤＩとして１本の１０Ｇ信号に多重して送受信することができる。
【００９４】
＜第３の実施の形態例：１０Ｇ−ＳＤＩにおけるモードＦを用いた伝送方式＞
次に、本開示の第３の実施の形態例に係る伝送方式について、図１２〜図１５を参照して説明する。本実施の形態例では、伝送方式としてモードＦを採用しており、以下では７ｃｈのＨＤ−ＳＤＩに多重された圧縮データと、１ｃｈのＨＤ−ＳＤＩを多重する伝送方式であるモードＦを説明する。
【００９５】
モードＦを用いた伝送方式では、２ｋ，４ｋ，８ｋ画素の映像信号を圧縮した圧縮データに加えて、１ｃｈのＨＤ−ＳＤＩに含まれる全データを伝送することが要求されている。このＨＤ−ＳＤＩは、例えばカメラからＣＣＵに制御コマンドや映像、音声の伝送を行う用途に使われるため、モードＥの様に下位８ビットのみを抜き出して伝送するのではなく、全データを伝送する必要がある。このため、モードＦでは、最大７ｃｈのＨＤ−ＳＤＩに多重された圧縮データと、１ｃｈのＨＤ−ＳＤＩを１０Ｇ−ＳＤＩに多重して伝送可能とする。
【００９６】
ここで、マッピング部１１が最大７ｃｈまでのＨＤ−ＳＤＩに圧縮データを多重する方式については、第１の実施の形態例に係るマッピング部４が行った方法と同じである。つまり、ＨＤ−ＳＤＩのＣチャンネルとＹチャンネルの有効領域の各１０ビットに８ビット単位で区切った圧縮データを多重する。この様にして圧縮データを７ｃｈのＨＤ−ＳＤＩの有効領域に多重して、あるいは圧縮データが多重された、２ｃｈ単位かつワード単位で作成したＨＤ−ＳＤＩである４ｃｈの３Ｇ−ＳＤＩを１０Ｇ−ＳＤＩの入出力とする。
【００９７】
３Ｇ−ＳＤＩ  レベルＢの場合には、ＨＤ−ＳＤＩの第１ｃｈ、第２ｃｈがそれぞれ３Ｇ−ＳＤＩの第１ｃｈのデータストリーム１，２に相当し、ＨＤ−ＳＤＩの第３ｃｈ、第４ｃｈがそれぞれ３Ｇ−ＳＤＩの第２ｃｈのデータストリーム１，２に相当し、ＨＤ−ＳＤＩの第５ｃｈ、第６ｃｈがそれぞれ３Ｇ−ＳＤＩの第３ｃｈのデータストリーム１，２に相当し、ＨＤ−ＳＤＩの第７ｃｈが３Ｇ−ＳＤＩの第４ｃｈのデータストリーム１に相当する。
【００９８】
図１２は、ＳＡＶの最初の２ワードをＫ２８．５に入れ替える例を示す説明図である。
ここで、Ｓ／Ｐ・スクランブル・８Ｂ／１０Ｂ部１２は、８Ｂ／１０Ｂ変換時に、ＨＤ−ＳＤＩの第１ｃｈのＳＡＶの最初の２ワード（１６ビット）は２バイトのＫ２８．５に入れ替え、８Ｂ／１０Ｂ変換符号のワード同期信号として使用する。続く１６ビットデータ３つはコンテンツＩＤとして使用する。
【００９９】
図１３は、ＬＮ／ＣＲＣを多重する例を示す説明図である。
第２ｃｈ〜第８ｃｈのＨＤ−ＳＤＩのＬＮ／ＣＲＣに関しては、ＣＬＮとＹＣＬは同じものであるのでＹＬＮ信号は捨ててＣＬＮ，ＣＣＲ，ＹＣＲを並び替えて８ビットデータとして多重することにより１０．６９２Ｇｂｐｓのシリアルデータを作成する。
【０１００】
ここで、多重部１４は、以下の（１）〜（７）の順でＨＤ−ＳＤＩデータを並び替えて多重している。
（１）ＬＮでは、ＣＬＮ０の下位８ビットであるＣＬＮ０：０−７を多重する。
（２）ＣＬＮ０：０−７に続いてＣＬＮ０：８−９とＹＬＮ０：２−７を多重する。なお、ＣＬＮとＹＬＮには同じ内容のデータが含まれており、ＹＬＮ０：２−７の内容は、ＣＬＮ０：２−７から判明するため、ＹＬＮ０：２−７には、ａｌｌ１のようなデータが埋め込まれていてもよい。
（３）ＹＬＮ０：２−７に続いてＣＬＮ１：０−７を多重する。
（４）ＣＬＮ１：０−７に続いてＣＬＮ１：８−９とＹＣＲ０：０−５を多重する。
（５）ＹＣＲ０：０−５に続いてＣＣＲ０：０−７を多重する。
（６）ＣＣＲ０：０−７に続いてＣＣＲ０：８−９とＹＣＲ０：６−８とＹＣＲ１：０−２を多重する。
（７）ＹＣＲ１：０−２に続いてＣＣＲ１：０−７、ＣＣＲ１：８−９とＹＣＲ１：３−８を多重する。
【０１０１】
なお、ＣＲＣのＢ９はＢ８の反転ビットであるので削除し、１０．６９２Ｇｂｐｓのシリアルデータに多重しない。また、ＣＣＲＣとＹＣＲＣは上述した第１の実施の形態例で説明したように、圧縮データを多重した後に計算されたデータである。
【０１０２】
図１４は、モードＦの多重概念図の例を示す説明図である。
１０．６９２ＧｂｐｓインターフェースのＨブランク領域には、ＨＤ−ＳＤＩの第１ｃｈ，２ｃｈ，３ｃｈ，４ｃｈからＣＲＣの直後から４０ビット単位（１０ビットかつ４サンプル単位）で抜き出したデータを８Ｂ／１０Ｂ変換して５０ビットのデータブロックで交互に多重する。この後に、１ラインの周期を揃えるためにこの後に、付加データの８Ｂ／１０Ｂ符号であるＤ０．０を多重して１０．６９２ＧｂｐｓのシリアルデジタルインターフェースにおけるＨブランク期間に合わせる。
【０１０３】
そして、Ｓ／Ｐ・スクランブル・８Ｂ／１０Ｂ部１２は、ＨＤ−ＳＤＩの第１ｃｈを、ＳＡＶの最初のワードから開始して、有効領域＋ＥＡＶ／ＬＮ／ＣＲＣまで順次４０ビット単位（４サンプル単位の１０ビットデータ）で抜き出した圧縮データを８Ｂ／１０Ｂ変換して５０ビットのデータブロックとする。また、ＨＤ−ＳＤＩの第２ｃｈ，４ｃｈ，６ｃｈ，８ｃｈからは、ＳＡＶの最初のワードから開始してＥＡＶ／ＬＮ／ＣＲＣまで８ビットずつ抜き出して順次３２ビット単位（４サンプル単位の８ビットデータ）の圧縮データをスクランブルして３２ビットのデータブロックとする。
【０１０４】
ここで、Ｓ／Ｐ・スクランブル・８Ｂ／１０Ｂ部１２は、ＨＤ−ＳＤＩの第３ｃｈ，５ｃｈ，７ｃｈからは、ＳＡＶの最初のワードから開始してＥＡＶ／ＬＮ／ＣＲＣまで８ビットずつ抜き出す。そして、順次３２ビット単位（８ビット、４サンプル単位）のデータを８Ｂ／１０Ｂ変換して４０ビットのデータブロックとする。
【０１０５】
そして、多重部１４は、ＨＤ−ＳＤＩの第１ｃｈから４０ビット単位で抜き出し８Ｂ／１０Ｂ変換して得られた５０ビットデータブロックと、ＨＤ−ＳＤＩの第２ｃｈ，第４ｃｈ，第６ｃｈ，第８ｃｈから３２ビット単位で抜き出しスクランブルして得られた３２ビットデータブロックとＨＤ−ＳＤＩの第３ｃｈ，５ｃｈ，７ｃｈから３２ビット単位で抜き出し８Ｂ／１０Ｂ変換して得られた４０ビットデータブロックを、交互にＣＨ１，ＣＨ２，ＣＨ３，ＣＨ４，ＣＨ５，ＣＨ６，ＣＨ７，ＣＨ８，ＣＨ１，ＣＨ２…の順で多重し、パラレル信号をシリアル化することで１０．６９２Ｇｂｐｓのシリアル信号の有効期間とＳＡＶ／ＥＡＶ／ＬＮ／ＣＲＣ期間として信号出力する。ここで、多重部１４が出力する信号のビット数は、以下の計算によって求められる。
（１）ＳＡＶ、映像データ、ＥＡＶ／ＬＮ／ＣＲＣＣ期間＝５０＋３２＋４０＋３２＋４０＋３２＋４０＋３２＝２９８ビット
（２）Ｈブランク期間＝５０＋５０＝１００ビット
【０１０６】
図１５は、モードＦのライン構造の例を示す説明図である。
多重部１４は、８Ｂ／１０Ｂ変換された５０ビットのデータと、スクランブル変換された３２ビットのデータを１０Ｇ−ＳＤＩに多重する。このとき、ＣＨ１〜ＣＨ４のＨＤ−ＳＤＩから取り出した水平補助データスペースは、ＣＨ１，ＣＨ２，ＣＨ３，ＣＨ４，ＣＨ１，…の順に多重される。同様に、ＣＨ１のＨＤ−ＳＤＩからは全てのデータが１０Ｇ−ＳＤＩに多重される。ＣＨ２，ＣＨ４，ＣＨ６，ＣＨ８のＨＤ−ＳＤＩからは、ＳＡＶからＥＡＶまで下位８ビットを抜き出してスクランブル変換されたデータが１０Ｇ−ＳＤＩに多重される。また、ＣＨ３，ＣＨ５，ＣＨ７からは、ＳＡＶからＥＡＶまで下位８ビットを抜き出して８Ｂ／１０Ｂ変換されたデータが１０Ｇ−ＳＤＩに多重される。
【０１０７】
次表５には、１０．６９２Ｇｂｐｓインターフェースのフレームレート毎の１ラインのデータ数、映像データ領域のデータ数、水平補助データスペース（ＨＡＮＣ）領域及びＳＡＶ／ＥＡＶ／ＬＮ／ＣＲＣのデータ数、付加データのデータ数を示す。
【０１０８】
【表５】
2013236211.tif 000007
【０１０９】
上述した第２及び第３の実施の形態例に係る信号伝送システムによれば、複数ｃｈのＨＤ−ＳＤＩや３Ｇ−ＳＤＩで伝送される圧縮データから、あるｃｈのＨＤ−ＳＤＩや３Ｇ−ＳＤＩの有効領域に多重された８ビットデータをＳＡＶから順番に２サンプルあるいは４サンプル（複数サンプル）ずつ抜き出して８Ｂ／１０Ｂ変換する。また、別のｃｈのＨＤ−ＳＤＩや３Ｇ−ＳＤＩの有効領域に多重された８ビットデータを２サンプルあるいは４サンプル（複数サンプル）ずつ抜き出してスクランブル処理を施す。そして、８Ｂ／１０Ｂ変換されたデータと、スクランブル処理されたデータを交互に並べて多重することにより１０．６９２Ｇｂｐｓのシリアルデータ系列を作成し、１本のシリアル信号伝送することができる。
【０１１０】
＜４．変形例＞
また、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、又は各種の機能を実行するためのプログラムをインストールしたコンピュータにより、実行可能である。例えば汎用のパーソナルコンピュータ等に所望のソフトウェアを構成するプログラムをインストールして実行させればよい。
【０１１１】
また、上述した実施の形態例の機能を実現するソフトウェアのプログラムコードを記録した記録媒体を、システムあるいは装置に供給してもよい。また、そのシステムあるいは装置のコンピュータ（又はＣＰＵ等の制御装置）が記録媒体に格納されたプログラムコードを読み出し実行することによっても、機能が実現されることは言うまでもない。
【０１１２】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１３】
また、コンピュータが読み出したプログラムコードを実行することにより、上述した実施の形態例の機能が実現される。加えて、そのプログラムコードの指示に基づき、コンピュータ上で稼動しているＯＳ等が実際の処理の一部又は全部を行う。その処理によって上述した実施の形態例の機能が実現される場合も含まれる。
【０１１４】
また、本開示は上述した実施の形態例に限られるものではなく、特許請求の範囲に記載した本開示の要旨を逸脱しない限りその他種々の応用例、変形例を取り得ることは勿論である。
【０１１５】
なお、本開示は以下のような構成も取ることができる。
（１）
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重するマッピング部と、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信する多重部と、を備える
信号送信装置。
（２）
さらに、前記複数チャンネルのシリアルデジタルインターフェースのうち、奇数番目のシリアルデジタルインターフェースから抽出した所定ビットのデータを８Ｂ／１０Ｂ変換し、偶数番目のシリアルデジタルインターフェースから抽出した所定ビットのデータをスクランブル変換する変換部を備え、
前記多重部は、８Ｂ／１０Ｂ変換したデータと、スクランブル変換したデータを交互に連結して、１０．６９２Ｇｂｐｓシリアルデジタルインターフェースとして出力する
前記（１）載の信号送信装置。
（３）
前記シリアルデジタルインターフェースは、３Ｇ−ＳＤＩ又はＨＤ−ＳＤＩのいずれかである
前記（１）又は（２）記載の信号送信装置。
（４）
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの１チャンネルあるいは複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重することと、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信すること、を含む
信号送信方法。
（５）
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元する分離部と、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、前記第１のチャンネル及び第２のチャンネルの映像データ領域の下位Ｎ−ｍビットから前記圧縮データの下位２ビットとして再生する再生部と、を備える
信号受信装置。
（６）
１０．６９２Ｇｂｐｓシリアルデジタルインターフェースから８Ｂ／１０Ｂ変換したデータと、スクランブル変換したデータを交互に分離する分離部と、
分離されたデータのうち、所定ビットのデータを８Ｂ／１０Ｂ変換して奇数番目のシリアルデジタルインターフェースに多重し、所定ビットのデータをデスクランブル変換して偶数番目のシリアルデジタルインターフェースに多重する変換部を備える
前記（５）記載の信号受信装置。
（７）
前記シリアルデジタルインターフェースは、３Ｇ−ＳＤＩ又はＨＤ−ＳＤＩのいずれかである
前記（５）又は（６）記載の信号受信装置。
（８）
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
１チャンネルあるいは複数チャンネルのシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元することと、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから、１フレームの画素数がＨＤフォーマットで規定される画素数、あるいはこれを超える画素数のシリアルデジタルインターフェースの１チャンネルあるいは複数チャンネルのデータ量に圧縮された圧縮データの上位ｍ−２ビットとして再生し、前記第１のチャンネル及び第２のチャンネルの映像データ領域の下位Ｎ−ｍビットから前記圧縮データの下位２ビットとして再生することと、を含む
信号受信方法。
（９）
Ｎビット（Ｎ≧１０）単位で構成される１チャンネルあるいは複数チャンネルのシリアルデジタルインターフェースに含まれる、第１のチャンネル及び第２のチャンネルの映像データ領域における禁止コードは、上位ｍビット（ｍ≧８）が全て同値で規定される場合に、
前記１チャンネルあるいは複数チャンネルに含まれるＮビットの前記上位ｍビットのうち、少なくとも下位２ビットを互いに異なる値とし、１フレームの画素数がＨＤフォーマットで規定される画素数、あるいはこれを超える画素数のシリアルデジタルインターフェースの複数チャンネルのデータ量に圧縮された圧縮データに含まれる上位ｍ−２ビットの映像データを前記第１のチャンネル及び第２のチャンネルの映像データ領域の上位ｍ−２ビットに多重し、前記圧縮データの下位２ビットの映像データを前記第１のチャンネル及び第２のチャンネルの映像データ領域の下位Ｎ−ｍビットに多重するマッピング部と、
前記第１のチャンネル及び第２のチャンネルの映像データ領域に多重したＮビットデータの誤り検出符号を、所定の規格に準拠した第１のデータ領域と第２のデータ領域に格納し、第１のチャンネルと第２のチャンネルを交互にＮビット毎に多重してスクランブルをかけたシリアルデジタルインターフェースで送信する多重部と、を有する信号送信装置と、
１チャンネルあるいは複数チャンネルシリアルデジタルインターフェースから、第１のチャンネルと第２のチャンネルを交互にＮビット毎に分離してデスクランブルを掛けて、所定の規格に準拠した第１のデータ領域と第２のデータ領域に格納される前記第１のチャンネル及び第２のチャンネルの映像データ領域におけるＮビットデータの誤り検出符号を復元し、
前記１チャンネルあるいは複数チャンネルに含まれるＮビットの前記上位ｍビットのうち、互いに異なる値とされた下位２ビット以外の上位ｍ−２ビットの映像データを前記第１のチャンネル及び第２のチャンネルの映像データ領域の上位ｍ−２ビットから前記圧縮データの上位ｍ−２ビットとして再生し、前記第１のチャンネル及び第２のチャンネルの映像データ領域の下位Ｎ−ｍビットから前記圧縮データの下位２ビットとして再生する再生部と、を有する信号受信装置と、を備える
信号伝送システム。
【符号の説明】
【０１１６】
１…放送用カメラ、２…ＣＣＵ、４…マッピング部、５…多重部、６…分離部、７…再生部、１０…信号伝送システム、１１…マッピング部、１２…Ｓ／Ｐ・スクランブル・８Ｂ／１０Ｂ部、１４…多重部、１７…多チャンネルデータ形成部、１８…多重・Ｐ／Ｓ変換部、１９…光電変換部、３１…光電変換部、３２…Ｓ／Ｐ変換・多チャンネルデータ形成部、３３…多重部、３７…分離部、３８…デスクランブル・８Ｂ／１０Ｂ・Ｐ／Ｓ部、３９…再生部
【図１】
2013236211.tif 000008
【図２】
2013236211.tif 000009
【図６】
2013236211.tif 000010
【図７】
2013236211.tif 000011
【図１０】
2013236211.tif 000012
【図１１】
2013236211.tif 000013
【図１４】
2013236211.tif 000014
【図１５】
2013236211.tif 000015
【図３】
2013236211.tif 000016
【図４】
2013236211.tif 000017
【図５】
2013236211.tif 000018
【図８】
2013236211.tif 000019
【図９】
2013236211.tif 000020
【図１２】
2013236211.tif 000021
【図１３】
2013236211.tif 000022